(57)【要約】【課題】従来の投票券予約システムでは、ファンが期待する配当の組合せの投票券を購入した後に、特に購入時機が早い場合ほど、オッズが変動して、購入した投票券が期待オッズの範囲外となると、ファンは期待が裏切られ、落胆することになる。【解決手段】投票券予約購入端末１は、投票券の購入予約内容を受け付ける予約手段１２ａと、購入予約内容中の組合せ毎に購入を希望するオッズである期待オッズの範囲を取得する取得手段１２ｂと、購入予約内容の内、投票券の発売の締め切り０分前時点点における最新オッズである締切オッズが、対応する期待オッズの範囲内の投票券を購入する購入手段１３ａと、を備えている。これにより、発売締め切り時点での最新オッズが期待オッズの範囲外の投票券は購入されない。【選択図】図２
2015049640.tif 000002
【特許請求の範囲】
【請求項１】
投票券の購入予約内容を受け付ける予約手段と、
前記購入予約内容中の組合せ毎に購入を希望する期待オッズの範囲を取得する取得手段と、
前記購入予約内容の内で、前記投票券の発売の締め切り０分前時点におけるオッズである締切オッズが、対応する前記期待オッズの範囲内の投票券を購入する購入手段と、
を備えることを特徴とする投票券予約購入端末装置。
【請求項２】
前記取得手段において取得される前記期待オッズの範囲は、ファンが購入を希望するオッズの最小値以上であり、
前記購入手段は、前記締切オッズが前記最小値以上の場合、対応する前記投票券を購入することを特徴とする請求項１に記載の投票券予約購入端末装置。
【請求項３】
前記購入手段により購入した投票券の内容を、少なくとも含む投票結果を表示する表示手段を有することを特徴とする請求項１又は２に記載の投票券予約購入端末装置。
【請求項４】
請求項１〜３のいずれか１項に記載の投票券予約購入端末装置と、
前記予約手段により受け付けられた前記購入予約内容を集計して、集計時の最新オッズを算出すると共に、前記購入手段により購入された前記投票券の内容を受け付けるネット投票センタシステムと、
が相互に通信可能に接続されたことを特徴とする投票券予約購入システム。
【請求項５】
前記ネット投票センタシステムは、
発売締め切り前の１又は複数のレースの投票券の購入予約内容を受け付け、
レース毎に、対応する投票券の発売締め切り０分前で、前記締切オッズが前記期待オッズの範囲内か否かを判定して、前記範囲内の投票内容の投票券を購入することを特徴とする請求項４に記載の投票券予約購入システム。
【請求項６】
投票券の購入予約内容を受け付ける第１処理と、
前記購入予約内容毎に購入を希望する期待オッズの範囲を取得する第２処理と、
前記投票券の発売の締め切り０分前時点において、前記投票券のオッズが前記期待オッズの範囲内か否かを判定し、前記範囲内の投票券を購入する第３処理と、
を有することを特徴とする投票券予約購入方法。
【請求項７】
前記第３処理において購入された投票券の内容を表示する第４処理を有することを特徴とする請求項６に記載の投票券予約購入方法。
【発明の詳細な説明】
【技術分野】
【０００１】
本発明は、競馬、競輪、ボートレース、オートレース等のトータリゼータシステムに係り、特に、投票券の予約購入に関する。
【背景技術】
【０００２】
ファンサービスの一環として、ネットワークを介して、投票券を購入することが可能な投票券予約システムが運用されている。この投票券予約システムに関連する技術が幾つか提案されている（例えば、特許文献１及び２）。
【０００３】
特許文献１には、加入者会員が各自で定めた投票券購入パターンを予約して自動的に投票できるサービスを提供する会員制の勝馬投票システムが記載されている。又、特許文献２には、処理時間をかけずに投票の締切前の一時点における投票対象のオッズからその投票対象の最終オッズを予測する技術が記載されている。
【先行技術文献】
【特許文献】
【０００４】
【特許文献１】特開２００４−０６２３０１号公報
【特許文献２】特開２０１２−２０３７１３号公報
【発明の概要】
【発明が解決しようとする課題】
【０００５】
従来の投票券予約システムでは、ファンは現時点の最新オッズの情報に基づいて、ファンが期待する配当の範囲の組合せを選択して、ファン自身が投票端末装置を操作して所望の投票券を購入している。しかしながら、ファンが期待する配当の組合せの投票券を購入した後に、特に購入時期が早い場合ほど、オッズが変動してファンが期待していた配当の範囲外となることがある。期待していた配当の範囲外の投票券が購入されたことにより、ファンは、期待を裏切られて落胆することとなる。
【０００６】
そこで、本発明は、投票券を購入後にオッズが変動して期待する配当と実際の配当の差異によるファンの落胆を解消し、ファンの満足度を向上することを課題とする。
【課題を解決するための手段】
【０００７】
本発明の内の第１発明の投票券予約購入端末装置は、投票券の購入予約内容を受け付ける予約手段と、前記購入予約内容中の組合せ毎に購入を希望する期待オッズの範囲を取得する取得手段と、前記購入予約内容の内、前記投票券の購入の締め切り０分前のオッズである締切オッズが前記期待オッズの範囲内の組合せの投票券を購入する購入手段と、を備えることを特徴とする。
【０００８】
第２発明の投票券予約購入システムは、前記投票券予約購入端末装置と、前記予約手段により受け付けられた前記購入予約内容を集計して、集計時の最新オッズを算出すると共に、前記購入手段により購入された前記投票券を受付けるネット投票センタシステムと、が相互に通信可能に接続されたことを特徴とする。
【０００９】
第３発明の投票券予約購入方法は、投票券の購入予約内容を受け付ける第１処理と、前記購入予約内容中の組合せ毎に購入を希望する期待オッズの範囲を取得する第２処理と、前記投票券の購入の締め切り０分前時点において、前記投票券のオッズ値が前記範囲内か否かを判定し、前記範囲の組合せの投票券を購入する第３処理と、を有することを特徴とする。
【発明の効果】
【００１０】
本発明によれば、期待したオッズの範囲の組合せの投票券を購入後のオッズの変動によりオッズが期待したオッズの範囲外となった場合のファンの落胆を解消してファンサービスの向上を図ると共に、主催者側の円滑な運営による売り上げの向上とを図ることができる。
【図面の簡単な説明】
【００１１】
【図１】本実施形態の投票券予約購入システムの構成のブロック図
【図２】本実施形態の投票券予約購入端末の機能ブロック図
【図３】（ａ）入力画面の表示例、（ｂ）投票結果画面の表示例
【図４】本実施形態の仮投票処理のフローチャート
【図５】本実施形態の本投票処理のフローチャート
【図６】本実施例形態の投票券予約購入システム全体のタイムチャート
【発明を実施するための形態】
【００１２】
以下、本発明の実施形態について図面を参照して説明する。
（本実施形態の構成）
図１は、本実施形態の投票券予約購入システムの構成のブロック図である。
【００１３】
先ず、図１に基づいて、投票券予約購入システムの構成について説明する。投票券予約購入システムは、１又は複数の投票券予約購入端末装置としてのネット投票端末装置１（＝１−１〜１−ｎ）が、ネット投票端末装置１の上位のネット投票センタシステム２と、インターネット等の通信回線３により相互に通信可能に接続されて構成されている。
【００１４】
ネット投票端末装置１は、入力部１１と、入力制御部１２と、ネット投票端末装置１全体を制御するメイン制御部１３と、通信回線３とのインタフェースとしての通信部１４と、表示制御部１５と、表示手段としてのモニタ部１６と、投票データ１７と、オッズデータ１８と、が内部バスを介して相互に接続されている。
【００１５】
入力部１１は、購入を希望する投票内容（以下、「購入予約内容」という。）及び購入予約内容ごとに購入を希望する期待オッズの範囲を入力するものである。入力制御部１２は、入力された購入予約内容及び期待オッズの範囲を受付けて、購入予約内容及び期待オッズの範囲をメイン制御部１３へ出力するものである。入力部１１と入力制御部１２については、更に後述することとする。
【００１６】
ここで、本明細書において頻繁に登場するオッズについて説明しておく。オッズ（Odds）とは、一つのレースに対する全投票総数をＮ、ある組合せに対する投票数をｎとすると、
Odds＝Ｎ／ｎ
で与えられる数値である。例えば、あるレースに対する全投票総数が10,000であり、ある組合せに対する投票数が1,000であったとすると、この組合せに対するオッズは、Odds＝10,000/1,000＝１０となる。このオッズが高いほど、そのオッズに対応する配当金が多くなる。当たりの場合には、売上金額から主催者の取り分を差し引いた額を、的中した各組合せに対応するオッズで按分して、算出される配当金をファンは受け取ることになる。
【００１７】
メイン制御部１３は、発売の締め切り０分前時点（以下、「発売締切０分前時点」という。）において、購入予約内容の内で発売締切の対象となる投票内容（以下、「締切対象の投票内容」という。）について、発売締切０分前時点の最新オッズ（以下、「締切オッズ」という。）が、期待オッズの範囲内であるか否かを判定する。そして、メイン制御部１３は、締切対象の投票内容の内で、締切オッズが、期待オッズの範囲内である内容については投票し、期待オッズの範囲外である内容については廃棄するものである。
【００１８】
通信部１４は、購入予約内容を示す投票データをネット投票センタシステム２へ送信すると共に、ネット投票センタシステム２が送信するオッズ情報や発売締切０分前時点を知らせる信号を受信するものである。
【００１９】
表示制御部１５は、メイン制御部１２からの出力信号に基づいて、受付けられた購入予約内容、期待オッズの範囲等を入力するための入力画面を表示する信号を出力すると共に、購入予約内容に対する締切オッズ、期待オッズ及び投票結果等からなる投票結果画面を表示する信号を出力するものである。モニタ部１６は、表示制御部１５から入力される信号に基づいて入力画面及び投票結果画面を表示するものである。
【００２０】
投票データ保存領域１７は、メイン制御部１３に接続されている。投票データ保存領域１７は、入力部１１を介して、受付けられた購入予約内容を示す投票データを一時保存し、これらの投票データは、ファンが、各レース後の投票結果の画面表示を確認後、投票データ保存領域１７から消去される。
【００２１】
オッズデータ保存領域１８は、メイン制御部１３に接続されている。オッズデータ保存領域１８は、ネット投票センタシステム２から通信回線３を介して受信する最新オッズ及び入力部１１から入力される期待オッズの範囲をオッズデータとして保存する。ここで、保存領域１８に保存されるオッズデータは、購入予約内容ごとに、最新オッズと期待オッズの範囲とを対応付けたデータである。オッズデータ中の最新オッズは、ネット投票センタシステム２からオッズ情報を受信するごとに更新される。
【００２２】
メイン制御部１３は、投票データ保存領域１７及びオッズデータ保存領域１８に対し、投票データ及びオッズデータを保存すると共に、所定のタイミングで、投票データ保存領域１７及びオッズデータ保存領域１８から投票データ及びオッズデータを読み出すことができるように構成されている。
【００２３】
ネット投票センタシステム２は、レース開催日の前売発売開始時点、各レースの発売開始時点及び発売締切０分前時点のタイミングをネット投票端末装置１へ報知すると共に、１又は複数のネット投票端末装置１から受信した投票データが示す購入内容を集計し、最新オッズを算出してネット投票端末装置１へ定期的に送信する。更に、ネット投票センタシステム２は、各レース終了後に、賭け式、組番の内容に対応する配当金額を算出して、算出した配当金額などを示す情報を各ネット投票端末装置１へ送信する。各ネット投票端末装置１のモニタ部１６は、ネット投票センタシステム２から受信した情報に基づいて配当金額などを表示する。
【００２４】
次に、図１、図３（ａ），（ｂ）を参照しつつ、図２に基づいて、本実施形態におけるネット投票端末装置１の主要部の機能構成について説明する。図２は、本実施形態のネット投票端末装置１の機能ブロック図であり、図３（ａ）は、図２中のモニタ部１６における入力画面の表示例であり、図３（ｂ）は、図２中のモニタ部１６における投票結果画面の表示例である。
【００２５】
図２において、入力部１１は、入力画面の表示例として図３（ａ）に示されているように、場名、レースＮＯ．賭け式、組番、購入金額等の購入予約内容を入力するものであり、例えば、タッチパネル、テンキー等で構成されている。
【００２６】
場名とは、レースが行われる場所の名称であり、賭け式とは、投票の仕方である。賭け式の種類としては、例えば、競馬レースの場合、１着になる馬を選ぶ単勝、３着までに入る馬を選ぶ複勝、１着２着の馬を順位まで当てる馬単、１着２着の馬を順不同で当てる馬連、１着２着の馬の枠番を順位まで当てる枠単、１着２着の馬の枠番を順不同で当てる枠連、１着から３着までの馬を２頭選ぶワイド、１着から３着までの馬を順位も全て当てる３連単、１着から３着までの馬を順不同で当てる３連複、などがある。
【００２７】
図３（ａ）に示された入力画面において、場名、レースＮＯ．賭け式、組番を入力すると、入力された場名、レースＮＯ．賭け式、組番に対応する最新オッズが表示されるようになっている。ファンは、この表示された最新オッズを参照して、入力部１３から期待オッズの範囲を入力するものである。図３（ａ）に示された入力画面の表示例では、入力された期待オッズの範囲の最小値が期待オッズ欄に“１４．０”として表示される構成となっている。期待オッズの範囲は、１４．０以上という範囲の指定に限定されず、例えば、１４．０以上２０．０未満のように指定しても良い。図３（ａ）には、現時点での最新オッズ“１５．３”が表示されている。
【００２８】
入力制御部１２は、予約手段１２ａと取得手段１２ｂとから構成されている。予約手段１２ａは、入力部１１から入力された投票券の購入予約内容を受付けて、購入予約内容を示す投票データをメイン制御部１３へ出力するものである。取得手段１２ｂは、入力部１１から入力された期待オッズの範囲を入力してオッズデータとしてメイン制御部１３へ出力するものである。メイン制御部１３は、購入予約内容と対応付けられた期待オッズの範囲をオッズデータ保存部１８に格納する。
【００２９】
メイン制御部１３は、購入手段１３ａを有している。購入手段１３ａは、予約手段１２ａで受付けられた購入予約内容の内の締切対象の投票内容について、締切対象の投票内容ごとに、対応する締切オッズが、取得手段１２ｂにより取得された期待オッズの範囲内か否かを投票内容の各組番の組合せについて判定し、範囲内の購入予約内容については正式に投票し、範囲外の購入予約内容については破棄するものである。購入手段１３ａは、正式に投票する投票内容を示す投票データをネット投票センタシステム２へ送信する。更に、購入手段１３ａは、表示制御部１５を介してモニタ部１６に投票結果を表示させる。モニタ部１６における投票結果画面の表示例が図３（ｂ）に示されている。
【００３０】
図３（ｂ）に示された投票結果画面の表示例では、賭け式「３連単」の組番（１，２，３）の締切オッズは“１５．３”で、期待オッズ“１４．０”以上であるので、投票結果は“投票”となっている。又、賭け式「３連単」の組番（１，２，４）の締切オッズは“１０．５”で、期待オッズ“１１．０”未満であるので、投票結果は“破棄”となっている。このように、組番に対応する締切オッズが期待オッズの範囲か否かにより、仮投票された投票券の購入予約内容の各組番に対し正式に投票するか破棄するかが決定されている。
【００３１】
（本実施形態の構成）
先ず、図１〜図３を参照しつつ、図４に沿ってネット投票端末装置１からの仮投票処理（Ｉ）について説明し、次に、図１〜図３を参照しつつ、図５に沿ってネット投票端末装置１における本投票処理（II）について説明し、最後に、図６に沿って本実施例形態の投票券予約購入システム全体の処理の流れ（III）について説明する。
【００３２】
（Ｉ）本実施形態の仮投票処理
図４は、本実施形態の仮投票処理を示すフローチャートである。
【００３３】
ネット投票端末装置１における仮投票処理が開始されると、ステップＳ１へ進む。ステップＳ１において、ネット投票端末装置１は、ネット投票センタシステム２に対し、オッズ情報を要求し、ネット投票センタシステム２から最新オッズを取得し、取得した最新オッズをオッズデータ保存領域１８に格納すると、ステップＳ２へ進む。ステップＳ２において、ファンにより入力部１１から投票券の購入予約を希望する“場名”、“レースＮＯ．”及び“賭け式”が入力されるまで待って（Ｎｏ）、投票券の購入予約の“場名”、“レースＮＯ．”及び“賭け式”が入力されると（Ｙｅｓ）、ステップＳ３へ進む。即ち、ステップＳ２において、図３（ａ）に示されているように、場名“ＸＹＺ”、レースＮＯ．“１Ｒ”、賭け式“３連単”が入力されると、ステップＳ３へ進む。
【００３４】
ステップＳ３において、ファンにより入力部１１から投票組番の選択及び購入金額の入力が行われると、図３（ａ）に示されているように、受付られた投票組番（１，２，３）及び購入金額“5,000”円がモニタ部１６の入力画面に表示され、ステップＳ４へ進む。ステップＳ４において、メイン制御部１３は、投票組番に対応する最新オッズをオッズデータ保存領域１８から読み出して、モニタ部１６の入力画面に設けられた最新オッズ欄に表示させ、ステップＳ５へ進む。ステップＳ５において、ファンにより購入を希望する期待オッズの範囲が入力されると、取得手段１２ｂは、期待オッズの範囲を取得し、ステップＳ６へ進む。図３（ａ）に示された入力画面の例では、上述したように、期待オッズの範囲の最小値が期待オッズ欄に表示されるように構成されており、最小値として、“１４．０”が示されている。
【００３５】
ステップＳ６において、メイン制御部１３は、ネット投票センタシステム２に対して、仮投票を実行し、仮投票の処理を終了する。ステップＳ６における仮投票の実行は、メイン制御部１３からネット投票センタシステム２へ、投票予約内容を示す投票データ（例えば、場名“ＸＹＺ”、レースＮＯ．“１Ｒ”、賭け式“３連単”、組番（１，２，３）、購入金額“5,000”の情報）が送信され、仮投票の処理を終了する。
【００３６】
（II）本実施形態の本投票処理
図５は、本実施形態の本投票処理を示すフローチャートである。
【００３７】
次に、ネット投票端末装置１における本投票処理が開始されると、ステップＳ１１へ進む。ステップＳ１１において、メイン制御部１３は、ネット投票センタシステム２から発売締切時刻０分前の報知信号を受信したかを定期的に判定し、受信していなければ（Ｎｏ）、ステップＳ１２へ進む。ステップＳ１２において、メイン制御部１３は、ネット投票センタシステム２から新たなオッズ情報を受信したかを定期的に判定し、受信した場合は（Ｙｅｓ）、ステップＳ１３へ進み、受信しない場合は、ステップＳ１１へ戻る。ステップＳ１３において、メイン制御部１３は、オッズデータ保存領域１８に保存されているオッズデータを受信した最新オッズに更新し、ステップＳ１１へ戻る。
【００３８】
ステップＳ１１において、メイン制御部１３が、ネット投票センタシステム２から発売締切時刻０分前の報知信号を受信したと判定すると（Ｙｅｓ）、ステップＳ１４へ進む。ステップＳ１４において、メイン制御部１３は、オッズデータ保存領域１８に保存されているオッズデータ中の最新オッズを締切オッズとし、ステップＳ１５へ進む。
【００３９】
ステップＳ１５において、メイン制御部１３の購入手段１３ａは、締切オッズが対応する期待オッズの範囲の最小値（以下、単に「期待オッズ」という。）以上か否かを判定し、締切オッズが対応する期待オッズ以上の場合は（Ｙｅｓ）、ステップＳ１６へ進み、締切オッズが対応する期待オッズ未満の場合は（Ｎｏ）、ステップＳ１７へ進む。
【００４０】
ステップＳ１６において、購入手段１３ａは、締切オッズが対応する期待オッズ以上である購入予定内容（仮投票の内容）の投票券を正式に投票し、ステップＳ１８へ進む。ステップＳ１７において、締切オッズが対応する期待オッズ未満である購入予定内容（仮投票の内容）を廃棄し、ステップＳ１８へ進む。即ち、締切オッズが対応する期待オッズ未満である購入予定内容（仮投票の内容）については、正式な投票を行わない。
【００４１】
ステップＳ１８において、購入手段１３ａは、ステップＳ１５及びＳ１６における投票結果を、モニタ部１６の表示画面上に表示させ、本投票処理を終了する。図３（ｂ）に示された投票結果画面の表示例では、組番（１，２，３）の締切オッズ“１５．３”は、期待オッズ“１４．０”以上であるので、投票結果“投票”であり、組番（１，２，４）の締切オッズ“１０．５”は、期待オッズ“１１．０”未満であるので、投票結果“破棄”である。
【００４２】
以上、上記（Ｉ），（II）の説明では、一つのレースに対する仮投票処理及び本投票処理について説明した。
【００４３】
（III）本実施形態の投票券予約購入システム全体の処理
図６は、本実施例形態の投票券予約購入システム全体のタイムチャートである。
【００４４】
最後に、図１〜図３を参照しつつ、図６のタイムチャートに沿って、複数のレースについて投票券を予約購入する場合について、本実施例形態の投票券予約購入システム全体の処理の流れについて説明する。
【００４５】
図６には、ネット投票端末装置１及びネット投票センタシステム２の各処理が、左から右に進む時間経過に沿って時系列に示されている。
【００４６】
時刻ｔ１において、ネット投票センタシステム２から前売発売開始が報知されると、ネット投票端末装置１では、当日分の第１レースから最終レースまでの仮投票操作が可能になる。時刻ｔ２において、ネット投票センタシステム２から第１レースの発売開始が報知されると、ネット投票端末装置１では、第１レースについての本投票操作が可能になる。
【００４７】
時刻ｔ１からネットセンタシステム２から第１レースの発売締切０分前が報知される時刻ｔ３までの期間Ｔ１において、ネット投票端末装置１からの第１レースの投票予約及びその修正操作が可能である。図６において、時刻ｔ２〜ｔ３の期間において、上から下へ向かう破線の矢印は、定期的に報知される第１レースの最新オッズの報知信号を示している。
【００４８】
時刻ｔ３において、ネット投票センタシステム２から第１レースの発売締切０分前が報知されると、ネット投票端末装置１は、発売締切０分前の報知を受信した時点でオッズデータ保存領域１８に保存されている最新オッズを締切オッズとし、この締切オッズが対応する期待オッズの範囲内か否かにより第１レースの購入内容を判定する。図６に示された例では、締切オッズが対応する期待オッズの範囲内であるので、時刻ｔ４において、ネット投票端末装置１からネット投票センタシステム２に対して正式に投票が実施されている。
【００４９】
時刻ｔ５に第１レースの発売が締め切られると、ネット投票センタシステム２では、時刻ｔ６にネット投票端末装置１から正式に受付けた投票内容を返信する。ネット投票端末装置１は、モニタ部１６の表示画面上に第１レースの投票結果を表示する。
【００５０】
その後、第１レースが実施され、時刻ｔ７において、ネット投票センタシステム２における第１レースの結果が確定すると、ネット投票センタシステム２からネット投票端末装置１へ第１レースの結果確定に伴う情報が報知される。ネット投票端末装置１は、モニタ部１６の表示画面上に第１レースの配当金等の情報を表示し、第１レースの処理を終了する。以上が第１レースについての投票予約から第１レースの結果確定後、ネット投票端末装置１において、モニタ部１６の表示画面上に第１レースの配当金等の情報が表示されるまでの流れである。次に、第２レースについて説明する。
【００５１】
時刻ｔ１からネットセンタシステム２から第２レースの発売締切０分前が報知される時刻ｔ９までの期間Ｔ２において、ネット投票端末装置１からの第１レースの投票予約及びその修正操作が可能である。
【００５２】
時刻ｔ８において、ネット投票センタシステム２から第２レースの発売開始が報知されると、ネット投票端末装置１では、第２レースについての本投票操作が可能になる。図６において、時刻ｔ８〜ｔ９の期間において、上から下へ向かう破線の矢印は、第２レースについて、定期的に報知される最新オッズの報知信号を示している。
【００５３】
時刻ｔ９において、ネット投票センタシステム２から第２レースの発売締切０分前が報知されると、ネット投票端末装置１は、時刻ｔ９の時点においてオッズデータ保存領域１８に保存されている最新オッズを締切オッズとし、この締切オッズが対応する期待オッズの範囲内か否かを判定する。図６の例では、締切オッズが対応する期待オッズの範囲外である場合を示している。従って、第２レースに関する購入予約内容（仮投票の内容）は破棄される。
【００５４】
時刻ｔ１０において、ネット投票センタシステム２において、第２レースの発売が締め切られ、時刻ｔ１１において、ネット投票端末装置１は、モニタ部１６の表示画面上に投票結果欄に“破棄”が表示された第２レースの投票結果を表示し、第２レースの処理を終了する。
【００５５】
以上、第１レース及び第２レースについての投票券予約開始から第１レース及び第２レースの投票結果の表示までの流れを説明したが、第３レース〜最終レースまでの流れも同様であるので、第３レース〜最終レースまでの流れについての説明を省略する。
【００５６】
なお、上記動作を実行するための動作プログラムを、フレキシブルディスク、ＣＤ−ＲＯＭ（Compact Disk-Read Only Memory）、ＤＶＤ（Digital Versatile Disk）、ＭＯ（Magnet Optical disk）などのコンピュータで読み取り可能な記録媒体に記憶して配布し、これをメイン制御部１３などのコンピュータにインストールすることにより、上述の処理を実行するように構成しても良い。更に、インターネット上のサーバ装置が有するディスク装置等に動作プログラムを記憶しておき、メイン制御部１３などのコンピュータにダウンロード等するものとしても良い。
【００５７】
又、本発明の実施形態は、競馬のトータリゼータシステムに適用した例に説明したが、本発明は、競馬以外の競輪、ボートレース、オートレース等のトータリゼータシステムにも適用可能である。
【００５８】
以上、本発明の実施形態について説明したが、本発明は、以上に述べた実施形態に限定されるものではなく、本発明の要旨を逸脱しない範囲内で種々の構成又は実施形態を取ることができる。
【符号の説明】
【００５９】
１    ネット投票端末装置
２    ネット投票センタシステム
３    通信回線
１１    入力部
１２    入力制御部
１２ａ    予約手段
１２ｂ    取得手段
１３    メイン制御部
１３ａ    購入手段
１５    表示制御部
１６    モニタ部
１７    投票データ保存領域
１８    オッズテータ保存領域
【図１】
2015049640.tif 000003
【図２】
2015049640.tif 000004
【図３】
2015049640.tif 000005
【図４】
2015049640.tif 000006
【図５】
2015049640.tif 000007
【図６】
2015049640.tif 000008